(57)【要約】【課題】コンクリート屋根の劣化の進行状況を確認するための検査用のコンクリートを、逐次採取することができる、コンクリート採取装置を提供する。【解決手段】コンクリート採取装置２は、コンクリート屋根１の通孔１ａを通ってコンクリート屋根１の上側１０１から下側１０２に渡るようにしてコンクリート屋根１に着脱可能に配置される支持体３と、コアビット４ａと、駆動装置５と、送り装置６とを備える。コアビット４ａは、コンクリート屋根１の裏面１ｂの削孔により、コンクリートコア１ｘを採取するためのものであり、コンクリート屋根１の下側１０２において支持体３に支持される。駆動装置５は、コンクリート屋根１の上側１０２から操作されてコアビット４ａに回転力を付与する。送り装置６は、コンクリート屋根１の上側１０１から操作されてコアビット４ａをコンクリート屋根１に対して進退移動させる。【選択図】  図２
2018012255.tif 000002
【特許請求の範囲】
【請求項１】
コンクリート屋根の裏面部分のコンクリートを採取する、コンクリート採取装置であって、
前記コンクリート屋根に貫通形成された通孔を通って前記コンクリート屋根の上側から下側に渡るようにして前記コンクリート屋根に着脱可能に配置される支持体と、
前記コンクリート屋根の下側において前記支持体に支持されるとともに、先端が前記コンクリート屋根の裏面と向き合って、その裏面を削孔するビットとしてのコアビットと、
前記コンクリート屋根の上側から操作されて前記コアビットに回転力を付与する駆動装置と、
前記コンクリート屋根の上側から操作されて前記コアビットを前記コンクリート屋根に対して進退移動させる送り装置とを備えて、
前記コアビットによる前記コンクリート屋根の裏面の削孔により、コンクリートコアが採取される、コンクリート採取装置。
【請求項２】
前記コンクリート採取装置は、前記コンクリート屋根の上側から操作されて前記コアビットによる削孔により削られたコンクリートの削孔粉を集塵する集塵装置を備える、請求項１に記載のコンクリート採取装置。
【請求項３】
コンクリート屋根の裏面部分のコンクリートを採取する、コンクリート採取装置であって、
前記コンクリート屋根に貫通形成された通孔を通って前記コンクリート屋根の上側から下側に渡るようにして前記コンクリート屋根に着脱可能に配置される支持体と、
前記コンクリート屋根の下側において前記支持体に支持されるとともに、先端が前記コンクリート屋根の裏面と向き合って、その裏面を削孔するビットとしてのドリルビットと、
前記コンクリート屋根の上側から操作されて前記ドリルビットに回転力を付与する駆動装置と、
前記コンクリート屋根の上側から操作されて前記ドリルビットを前記コンクリート屋根に対して進退移動させる送り装置と、
前記コンクリート屋根の上側から操作されて前記ドリルビットによる削孔により削られたコンクリートの削孔粉を集塵する集塵装置を備えて、
その集塵された削孔粉がコンクリート粉として採取される、コンクリート採取装置。
【請求項４】
前記駆動装置は、前記コンクリート屋根の上側に設けられる電気ドリルと、その電気ドリルの回転を前記ビットに伝達する伝達装置とを備える、請求項１ないし３のいずれか１項に記載のコンクリート採取装置。
【請求項５】
前記支持体は、前記コンクリート屋根の上側に起立する支柱と、その支柱に取り付けられるとともに前記通孔を通って前記コンクリート屋根の下側に渡る支持体本体とを備えて、その支持体本体に前記ビットが支持され、
前記送り装置は、前記支柱と、前記支持体本体と、その支持体本体を前記支柱に沿って移動させる移動手段とを備えて、前記支持体本体が前記支柱に沿って移動することで、前記支持体本体に支持された前記ビットが進退移動する、請求項１ないし３のいずれか１項に記載のコンクリート採取装置。
【請求項６】
前記駆動装置は、前記コンクリート屋根の上側に設けられる電気ドリルと、その電気ドリルの回転を前記ビットに伝達する伝達装置とを備え、
前記支持体本体は、筒状に形成されて、その支持体本体の内部に、前記伝達装置が収容される、請求項５に記載のコンクリート採取装置。
【請求項７】
前記支持体は、前記通孔の周縁から立ち上がるように前記コンクリート屋根に設けられた起立壁を挟持する固定体を備え、その固定体に前記支柱が固定される、請求項５または６に記載のコンクリート採取装置。
【請求項８】
前記コンクリート屋根は、容器構造物における屋根であって、
前記通孔は、前記容器構造物の、点検孔、人孔または資材搬入孔からなる、請求項１ないし７のいずれか１項に記載のコンクリート採取装置。
【請求項９】
容器構造物におけるコンクリート屋根の裏面部分のコンクリートを採取する、コンクリート採取方法であって、
支持体を、前記コンクリート屋根に貫通形成された、点検孔、人孔または資材搬入孔を通って前記コンクリート屋根の上側から下側に渡るように配置し、
前記コンクリート屋根の上側から操作することで、前記コンクリート屋根の下側において前記支持体に支持されたコアビットに回転力を付与するとともに、前記コアビットを前記コンクリート屋根側に進めて、前記コンクリート屋根の裏面を削孔することにより、コンクリートコアを採取する、コンクリート採取方法。
【請求項１０】
前記コンクリートコアの採取に加えて、前記コンクリート屋根の上側から操作することで、前記コアビットにより前記コンクリート屋根の裏面を削孔した際、その削孔により削られたコンクリートの削孔粉を集塵することにより、その集塵した削孔粉をコンクリート粉として採取する、請求項９に記載のコンクリート採取方法。
【請求項１１】
容器構造物におけるコンクリート屋根の裏面部分のコンクリートを採取する、コンクリート採取方法であって、
支持体を、前記コンクリート屋根に貫通形成された、点検孔、人孔または資材搬入孔を通って前記コンクリート屋根の上側から下側に渡るように配置し、
前記コンクリート屋根の上側から操作することで、前記コンクリート屋根の下側において前記支持体に支持されたドリルビットに回転力を付与するとともに、前記ドリルビットを前記コンクリート屋根側に進めて、前記コンクリート屋根の裏面を削孔し、その削孔により削られたコンクリートの削孔粉を集塵することにより、その集塵した削孔粉をコンクリート粉として採取する、コンクリート採取方法。
【発明の詳細な説明】
【技術分野】
【０００１】
この発明は、コンクリート屋根の裏面部分のコンクリートを採取する、コンクリート採取装置およびコンクリート採取方法に関するものである。
【背景技術】
【０００２】
従来、例えば配水池とか調整池等のタンクにおけるコンクリート屋根においては、そのコンクリート屋根の裏面の劣化状況は、目視により確認されていた。
【発明の概要】
【発明が解決しようとする課題】
【０００３】
しかし、コンクリート屋根の裏面の目視により劣化状況の確認は、ある程度劣化が進行しその劣化が顕在化した状況では可能であったが、顕在化するまでの過程での確認はできなかった。しかも、目視点検の実施は、タンク内に足場を設ける必要があった。このため、この確認は、タンク内の水抜き・内面塗装の塗替えを行うなどの理由で、数年以上の間隔で一時的にタンクの稼動を停止する時期に限られていた。
【０００４】
この発明は、上記した従来の欠点を解決するためになされたものであり、その目的とするところは、コンクリート屋根の劣化の進行状況を確認するための検査用のコンクリートを、逐次採取することができる、コンクリート採取装置およびコンクリート採取方法を提供することにある。
【課題を解決するための手段】
【０００５】
この発明に係るコンクリート採取装置およびコンクリート採取方法は、前記目的を達成するために、次の構成からなる。すなわち、
請求項１に記載の発明に係るコンクリート採取装置は、コンクリート屋根の裏面部分のコンクリートを採取する、コンクリート採取装置である。このコンクリート採取装置は、前記コンクリート屋根に貫通形成された通孔を通って前記コンクリート屋根の上側から下側に渡るようにして前記コンクリート屋根に着脱可能に配置される支持体と、ビットとしてのコアビットと、駆動装置と、送り装置とを備える。ここで、コアビットは、前記コンクリート屋根の下側において前記支持体に支持されるとともに、先端が前記コンクリート屋根の裏面と向き合って、その裏面を削孔するものである。駆動装置は、前記コンクリート屋根の上側から操作されて前記コアビットに回転力を付与するものである。そして、送り装置は、前記コンクリート屋根の上側から操作されて前記コアビットを前記コンクリート屋根に対して進退移動させるものである。そこで、前記コアビットによる前記コンクリート屋根の裏面の削孔により、コンクリートコアが採取される。
【０００６】
このコンクリート採取装置によると、支持体が、コンクリート屋根の通孔を通って、コンクリート屋根の上側から下側に渡るように配置される。そして、コンクリート屋根の下側において、支持体に支持されたコアビットは、先端がコンクリート屋根の裏面と向き合う。そこで、コンクリート屋根の上側から駆動装置および送り装置を操作することで、コアビットが回転するとともにコンクリート屋根側に進み、そのコンクリート屋根の裏面を削孔してコンクリートコアを採取することができる。
【０００７】
また、請求項２に記載の発明に係るコンクリート採取装置は、請求項１に記載のコンクリート採取装置において、前記コンクリート屋根の上側から操作されて前記コアビットによる削孔により削られたコンクリートの削孔粉を集塵する集塵装置を備える。コンクリート採取装置が集塵装置を備えることで、コアビットによる削孔により削られたコンクリートの削孔粉が下方に落下するのを防ぐことができる。
【０００８】
また、請求項３に記載の発明に係るコンクリート採取装置は、コンクリート屋根の裏面部分のコンクリートを採取する、コンクリート採取装置であって、このコンクリート採取装置は、前記コンクリート屋根に貫通形成された通孔を通って前記コンクリート屋根の上側から下側に渡るようにして前記コンクリート屋根に着脱可能に配置される支持体と、ビットとしてのドリルビットと、駆動装置と、送り装置と、集塵装置とを備える。ここで、ドリルビットは、前記コンクリート屋根の下側において前記支持体に支持されるとともに、先端が前記コンクリート屋根の裏面と向き合って、その裏面を削孔するものである。駆動装置は、前記コンクリート屋根の上側から操作されて前記ドリルビットに回転力を付与するものである。送り装置は、前記コンクリート屋根の上側から操作されて前記ドリルビットを前記コンクリート屋根に対して進退移動させるものである。そして、集塵装置は、前記コンクリート屋根の上側から操作されて前記ドリルビットによる削孔により削られたコンクリートの削孔粉を集塵するものであり、その集塵された削孔粉がコンクリート粉として採取される。
【０００９】
このコンクリート採取装置によると、支持体が、コンクリート屋根の通孔を通って、コンクリート屋根の上側から下側に渡るように配置される。そして、コンクリート屋根の下側において、支持体に支持されたドリルビットは、先端がコンクリート屋根の裏面と向き合う。そこで、コンクリート屋根の上側から駆動装置、送り装置および集塵装置を操作することで、ドリルビットが回転するとともにコンクリート屋根側に進み、そのコンクリート屋根の裏面を削孔し、その削孔により削られたコンクリートの削孔粉を集塵することができ、その集塵された削孔粉をコンクリート粉として採取することができる。
【００１０】
また、請求項４に記載の発明に係るコンクリート採取装置は、請求項１ないし３のいずれか１項に記載のコンクリート採取装置において、前記駆動装置は、前記コンクリート屋根の上側に設けられる電気ドリルと、その電気ドリルの回転を前記ビットに伝達する伝達装置とを備える。こうして、ビットを回転させるための電気ドリルをコンクリート屋根の上側に設けることで、コンクリート屋根の下側へ配置する構成を簡素化することができる。
【００１１】
また、請求項５に記載の発明に係るコンクリート採取装置は、請求項１ないし３のいずれか１項に記載のコンクリート採取装置において、前記支持体は、前記コンクリート屋根の上側に起立する支柱と、その支柱に取り付けられるとともに前記通孔を通って前記コンクリート屋根の下側に渡る支持体本体とを備えて、その支持体本体に前記ビットが支持される。そして、前記送り装置は、前記支柱と、前記支持体本体と、その支持体本体を前記支柱に沿って移動させる移動手段とを備えて、前記支持体本体が前記支柱に沿って移動することで、前記支持体本体に支持された前記ビットが進退移動する。
【００１２】
また、請求項６に記載の発明に係るコンクリート採取装置は、請求項５に記載のコンクリート採取装置において、前記駆動装置は、前記コンクリート屋根の上側に設けられる電気ドリルと、その電気ドリルの回転を前記ビットに伝達する伝達装置とを備える。そして、前記支持体本体は、筒状に形成されて、その支持体本体の内部に、前記伝達装置が収容される。こうして、ビットを回転させるための電気ドリルをコンクリート屋根の上側に設けることで、コンクリート屋根の下側へ配置する構成を簡素化することができる。そして、伝達装置を、支持体本体の内部に収容することで、伝達装置が周辺の部材と干渉するのを防ぐことができる。
【００１３】
また、請求項７に記載の発明に係るコンクリート採取装置は、請求項５または６に記載のコンクリート採取装置において、前記支持体は、前記通孔の周縁から立ち上がるように前記コンクリート屋根に設けられた起立壁を挟持する固定体を備え、その固定体に前記支柱が固定される。こうして、固定体が、通孔の周縁に設けられた起立壁を挟持することで、支柱を簡単に設置することができる。
【００１４】
また、請求項８に記載の発明に係るコンクリート採取装置は、請求項１ないし７のいずれか１項に記載のコンクリート採取装置において、前記コンクリート屋根は、容器構造物における屋根であって、前記通孔は、前記容器構造物の、点検孔、人孔または資材搬入孔からなる。
【００１５】
また、請求項９に記載の発明に係るコンクリート採取方法は、容器構造物におけるコンクリート屋根の裏面部分のコンクリートを採取する、コンクリート採取方法である。このコンクリート採取方法は、支持体を、前記コンクリート屋根に貫通形成された、点検孔、人孔または資材搬入孔を通って前記コンクリート屋根の上側から下側に渡るように配置する。そして、前記コンクリート屋根の上側から操作することで、前記コンクリート屋根の下側において前記支持体に支持されたコアビットに回転力を付与するとともに、前記コアビットを前記コンクリート屋根側に進めて、前記コンクリート屋根の裏面を削孔することにより、コンクリートコアを採取する。
【００１６】
また、請求項１０に記載の発明に係るコンクリート採取方法は、請求項９に記載のコンクリート採取方法において、前記コンクリートコアの採取に加えて、前記コンクリート屋根の上側から操作することで、前記コアビットにより前記コンクリート屋根の裏面を削孔した際、その削孔により削られたコンクリートの削孔粉を集塵することにより、その集塵した削孔粉をコンクリート粉として採取する。
【００１７】
また、請求項１１に記載の発明に係るコンクリート採取方法は、容器構造物におけるコンクリート屋根の裏面部分のコンクリートを採取する、コンクリート採取方法である。このコンクリート採取方法は、支持体を、前記コンクリート屋根に貫通形成された、点検孔、人孔または資材搬入孔を通って前記コンクリート屋根の上側から下側に渡るように配置する。そして、前記コンクリート屋根の上側から操作することで、前記コンクリート屋根の下側において前記支持体に支持されたドリルビットに回転力を付与するとともに、前記ドリルビットを前記コンクリート屋根側に進めて、前記コンクリート屋根の裏面を削孔し、その削孔により削られたコンクリートの削孔粉を集塵することにより、その集塵した削孔粉をコンクリート粉として採取する。
【発明の効果】
【００１８】
この発明に係るコンクリート採取装置およびコンクリート採取方法によれば、コンクリート屋根の劣化の進行状況を確認するための検査用のコンクリート、つまりコンクリートコアあるいはコンクリート粉を、コンクリート屋根上での作業により採取することができることから、そのコンクリートコアあるいはコンクリート粉の逐次採取が可能となる。
【図面の簡単な説明】
【００１９】
【図１】この発明の一実施の形態の、コンクリート採取装置を配置した、削孔前のコンクリート屋根の部分断面図である。
【図２】同じく、削孔後のコンクリート屋根の部分断面図である。
【図３】同じく、図２における要部拡大断面図である。
【発明を実施するための形態】
【００２０】
以下、この発明に係るコンクリート採取装置およびコンクリート採取方法を実施するための形態を図面に基づいて説明する。
【００２１】
図１〜図３は、本発明の一実施の形態を示す。図中符号１は、コンクリート屋根である。１ａは、コンクリート屋根１に貫通形成された通孔である。２は、コンクリート屋根１の裏面１ｂ部分のコンクリートを採取する、コンクリート採取装置である。
【００２２】
このコンクリート採取装置２は、コンクリート屋根１の通孔１ａを通ってコンクリート屋根１の上側１０１から下側１０２に渡るようしてコンクリート屋根１に着脱可能に配置される支持体３を備える。そして、コンクリート採取装置２は、ビット４としてのコアビット４ａと、駆動装置５と、送り装置６とを備えている。ここで、ビット４としてのコアビット４ａは、コンクリート屋根１の下側１０２において支持体３に支持されるとともに、先端がコンクリート屋根１の裏面１ｂと向き合って、その裏面１ｂを削孔するものである。駆動装置５は、コンクリート屋根１の上側１０１から操作されてコアビット４ａに回転力を付与するものである。送り装置６は、コンクリート屋根１の上側１０１から操作されてコアビット４ａをコンクリート屋根１（詳しくは、コンクリート屋根１の裏面１ｂ）に対して進退移動させるものである。そこで、コアビット４ａによるコンクリート屋根１の裏面１ｂの削孔により、コンクリートコア１ｘが採取される。
【００２３】
また、コンクリート採取装置２は、集塵装置７を備えている。この集塵装置７は、コンクリート屋根１の上側１０１から操作されてコアビット４ａ（ビット４）による削孔（つまり、コンクリート屋根１の裏面１ｂの削孔）により削られたコンクリートの削孔粉を集塵するものである。そして、この集塵された削孔粉がコンクリート粉として採取される。
【００２４】
詳細には、前記支持体３は、コンクリート屋根１の上側１０１に起立する支柱３ａと、その支柱３ａに取り付けられるとともにコンクリート屋根１の通孔１ａを通ってコンクリート屋根１の下側１０２に渡る支持体本体３ｂとを備えて、その支持体本体３ｂにコアビット４ａ（ビット４）が支持される。送り装置６は、前記支柱３ａと、前記支持体本体３ｂと、その支持体本体３ｂを前記支柱３ａに沿って移動させる移動手段（図示せず）とを備えて、支持体本体３ｂが支柱３ａに沿って移動することで、支持体本体３ｂに支持されたコアビット４ａ（ビット４）が進退移動する。
【００２５】
前記駆動装置５は、コンクリート屋根１の上側１０１に設けられる電気ドリル５ａと、その電気ドリル５ａの回転をコアビット４ａ（ビット４）に伝達する伝達装置５ｂとを備える。そして、前記支持体本体３ｂは、筒状に形成されて、その支持体本体３ｂの内部に、伝達装置５ｂが収容される。
【００２６】
また、コンクリート屋根１には、起立壁１ｃが、通孔１ａの周縁から立ち上がるように設けられている。そこで、支持体３は、起立壁１ｃを挟持する固定体３ｃを備え、その固定体３ｃに前記支柱３ａが固定される。
【００２７】
具体的には、コンクリート屋根１は、配水池、原水調整池、圧力調整池、ファームポンドもしくは下水処理層等のタンク（例えば、プレストレストコンクリートタンク）、石炭サイロもしくは穀物サイロ等のサイロ、その他の容器構造物における、屋根である。そして、前記通孔１ａは、容器構造物の、点検孔、人孔または資材搬入孔からなる。
【００２８】
支持体３においては、支持体本体３ｂは、例えば、断面コ字状のフレームを二本、断面コ字状の両端部を突き合わせるようにして接合することで、断面四角の筒状に形成される。図示実施の形態においては、支持体本体３ｂは、コンクリート屋根１の上方１０１を横に延びる上部支持材３ｄと、コンクリート屋根１の下方１０２を横に延びる下部支持材３ｅと、それら上部支持材３ｄと下部支持材３ｅとの一端を繋ぎ通孔１ａを貫通する中間支持材３ｆを有して、その延びる形状が略コ字状に形成されている。
【００２９】
また、この支持体本体３ｂは、被案内部材３ｇを介すことで支柱３ａに取り付けられる。被案内部材３ｇは、筒状に形成されて、支柱３ａに対しスライド可能に嵌められる。そして、被案内部材３ｇの側面に支持体本体３ｂが連結固定され、これによって、支持体本体３ｂは、支柱３ａに沿って移動可能となる。また、支持体３における固定体３ｃは、起立壁１ｃの先端部分をその厚み方向に挟持する固定体本体３ｈと、支柱３ａが差し込まれて固定される台座３ｉと、固定体本体３ｈと台座３ｉとを繋ぐアーム３ｊとを備える。
【００３０】
送り装置６においては、前記移動手段は、図示を省略するが、例えば、ラックアンドピニオン機構（つまり、支柱３ａ側のラックと、被案内部材３ｇ側のピニオン）を備えて、そのピニオンを回転することで、支持体本体３ｂを支柱３ａに沿って（つまり、上下に）移動させることができる。詳細には、ピニオンには、ハンドルが直接、あるいはギアを介して連結されて、そのハンドルを回転することで、支持体本体３ｂを支柱３ａに沿って移動させることができる。もっとも、ハンドルを回転することでピニオンを回転するものでなくとも、ピニオンを動力を用いて回転させても構わない。
【００３１】
駆動装置５においては、伝達装置５ｂは、電気ドリル５ａ（詳しくは電気ドリル５ａの回転軸）の回転に合わせて、軸回りに回転するシャフト５ｃを備える。そして、伝達装置５ｂには、伝達の方向を変えるための角度変換ジョイント５ｄや、シャフト５ｃ等の部材を直状に連結するための直状ジョイント５ｅが適宜用いられる。この伝達装置５ｂによる伝達の最終位置では、コアビット４ａ（ビット４）が直状ジョイント５ｅを介して角度変換ジョイント５ｄに連結される。この角度変換ジョイント５ｄは、内部構造を収容するケースを有しており、そのケースが支持体本体３ｂ（詳しくは、下部支持材３ｅ）に連結される。すなわち、コアビット４ａ（ビット４）は、この角度変換ジョイント５ｄ（詳しくは、角度変換ジョイント５ｄのケース）を介して、支持体本体３ｂ（支持体３）に支持される。
【００３２】
集塵装置７は、例えば、コアビット４ａ（詳しくは、ビット４）を覆う覆い７ａと、コンクリートの削孔粉を集塵する集塵機７ｂと、その集塵機７ｂによって集塵された削孔粉を収容する集塵容器７ｃと、覆い７ａと集塵機７ｂとを繋ぐ連結パイプ７ｄと、集塵機７ｂから排出される空気をコンクリート屋根１の上側１０１に送る排気パイプ７ｅと、その排気パイプ７ｅの先に接続されて前記空気を吸引して排気する吸引機（図示せず）とを備える。ここで、覆い７ａは、筒状であって、その周面が蛇腹状に形成されて、軸方向に伸縮可能となっている。そして、覆い７ａは、上端が開口するとともに、その上端がコンクリート屋根１の裏面１ｂに当接する。また、集塵機７ｂは、集塵容器７ｃの上面に取り付けられ、集塵容器７ｃは、吊下げ材７ｆを介して、下部支持材３ｅ（支持体本体３ｂ）に吊り下げられる。
【００３３】
次に、コンクリート採取方法について説明する。このコンクリート採取方法は、コンクリート屋根１（詳しくは、前記容器構造物におけるコンクリート屋根）の裏面１ｂ部分のコンクリートを採取する、コンクリート採取方法である。このコンクリート採取方法は、支持体３を、コンクリート屋根１に貫通形成された通孔１ａ（詳しくは、点検孔、人孔または資材搬入孔）を通ってコンクリート屋根１の上側１０１から下側１０２に渡るように配置する。そして、コンクリート屋根１の上側１０１から操作することで、コンクリート屋根１の下側１０２において支持体３に支持されたビット４としてのコアビット４ａに回転力を付与するとともに、コアビット４ａをコンクリート屋根１側に進めて、コンクリート屋根１の裏面１ｂを削孔することにより、コンクリートコア１ｘを採取する。
【００３４】
また、このコンクリート採取方法においては、コンクリートコア１ｘの採取に加えて、コンクリート屋根１の上側１０１から操作することで、コアビット４ａによりコンクリート屋根１の裏面１ｂを削孔した際、その削孔により削られたコンクリートの削孔粉を集塵することにより、その集塵した削孔粉をコンクリート粉として採取する。
【００３５】
図示実施の形態においては、このコンクリート採取方法によるコンクリートの採取にあたって、前述のコンクリート採取装置２が用いられる。すなわち、駆動装置５により、コアビット４ａ（ビット４）に回転力が付与され、送り装置６により、コアビット４ａ（ビット４）がコンクリート屋根１側に進められる。そして、集塵装置７により、削られたコンクリートの削孔粉が集塵される。詳細には、コアビット４ａを用いてコンクリート屋根１の裏面１ｂを削孔した後、支持体本体３ｂを揺すったり、あるいは、コアビット４ａ側に、削孔した孔に押し入る突起部を設ける等して、コアビット４ａ内のコンクリートコア１ｘをコンクリート屋根１から分離する。そして、支持体本体３ｂをコアビット４ａおよび集塵装置７とともに、通孔１ａから引き上げる。こうして、コンクリートコア１ｘおよびコンクリート粉が採取される。
【００３６】
次に、以上の構成からなるコンクリート採取装置２およびコンクリート採取方法の作用効果について説明する。コンクリート採取装置２における支持体３が、コンクリート屋根１の通孔１ａ（詳しくは、点検孔、人孔または資材搬入孔）を通って、コンクリート屋根１の上側１０１から下側１０２に渡るように配置される。そして、コンクリート屋根１の下側１０２において、支持体３に支持されたコアビット４ａ（ビット４）は、先端がコンクリート屋根１の裏面１ｂと向き合う。そこで、コンクリート屋根１の上側１０１から駆動装置５および送り装置６を操作することで、コアビット４ａが回転するとともにコンクリート屋根１側に進み、そのコンクリート屋根１の裏面１ｂを削孔してコンクリートコア１ｘを採取することができる。
【００３７】
また、コンクリート採取装置２が集塵装置７を備えることで、コアビット４ａ（ビット４）による削孔により削られたコンクリートの削孔粉が集塵装置７により集塵されて、その削孔粉が下方に落下するのを防ぐことができ、さらには、そのコンクリートの削孔粉を集塵することで、その削孔粉をコンクリート粉として採取することができる。
【００３８】
このように、このコンクリート採取装置２およびコンクリート採取方法によれば、コンクリート屋根１の劣化の進行状況を確認するための検査用のコンクリート、つまりコンクリートコア１ｘあるいはコンクリート粉を、コンクリート屋根１上での作業により採取することができることから、そのコンクリートコア１ｘあるいはコンクリート粉の逐次採取が可能となる。
【００３９】
また、コアビット４ａ（ビット４）に回転力を付与する駆動装置５は、コンクリート屋根１の上側１０１に設けられる電気ドリル５ａと、その電気ドリル５ａの回転をコアビット４ａに伝達する伝達装置５ｂとを備える。こうして、コアビット４ａを回転させるための電気ドリル５ａを、コンクリート屋根１の上側１０１に設けることで、コンクリート屋根１の下側１０２へ配置する構成を簡素化することができる。そして、伝達装置５ｂを、支持体本体３ｂの内部に収容することで、伝達装置５ｂが周辺の部材と干渉するのを防ぐことができる。
【００４０】
また、支持体３は、通孔１ａ（詳しくは、点検孔、人孔または資材搬入孔）の周縁に設けられた起立壁１ｃを挟持する固定体３ｃを備え、その固定体３ｃに支柱３ａが固定される。こうして、固定体３ｃが、起立壁１ｃを挟持することで、支柱３ａを簡単に設置することができる。
【００４１】
なお、本発明は、上述した実施の形態に限定されるわけではなく、その他種々の変更が可能である。例えば、コンクリート屋根１は、容器構造物における屋根でなくとも、建築物等他の建造物における屋根であってもよい。
【００４２】
また、駆動装置５において、コンクリート屋根１の上側１０１に設けられた電気ドリル５ａの回転力が、伝達装置５ｂによってコアビット４ａ（ビット４）に伝達されるが、電気ドリル５ａをコンクリート屋根１の下側１０２に設けて、その電気ドリル５ａの回転力を直接コアビット４ａに伝えてもよい。この際、電気ドリル５ａは、支持体３に支持される。そして、コアビット４ａは、電気ドリル５ａを介して支持体３に支持されることとなる。
【００４３】
また、集塵装置７において、集塵機７ｂと集塵容器７ｃとは、コンクリート屋根１の下側１０２に設けられているが、これら集塵機７ｂと集塵容器７ｃとをコンクリート屋根１の上側１０１に設けるとともに、連結パイプ７ｄを、コンクリート屋根１の上側１０１まで延ばしてもよい。
【００４４】
コンクリート屋根１の裏面１ｂを削孔するビット４は、コアビット４ａでなくとも、ドリルビットであってもよい。すなわち、ビット４としてのドリルビットが、コンクリート屋根１の下側１０２において支持体３に支持されるとともに、先端がコンクリート屋根１の裏面１ｂと向き合って、その裏面１ｂを削孔する。ただし、ビット４としてドリルビットを用いた場合には、コンクリートコア１ｘを採取することはできず、コンクリート粉のみが採取される。つまり、ドリルビットによる削孔により削られたコンクリートの削孔粉が、集塵装置７により集塵され、その集塵された削孔粉がコンクリート粉として採取される。そして、コンクリート採取方法においては、支持体３を前述したように配置し、その後、コンクリート屋根１の上側１０１から操作することで、コンクリート屋根１の下側１０２において支持体３に支持されたビット４としてのドリルビットに回転力を付与するとともに、ドリルビットをコンクリート屋根１側に進めて、コンクリート屋根１の裏面１ｂを削孔し、その削孔により削られたコンクリートの削孔粉を集塵することにより、その集塵した削孔粉をコンクリート粉として採取する。
【符号の説明】
【００４５】
１  コンクリート屋根
１ａ  通孔
１ｂ  裏面
１ｃ  起立壁
１ｘ  コンクリートコア
１０１  上側
１０２  下側
２  コンクリート採取装置
３  支持体
３ａ  支柱
３ｂ  支持体本体
３ｃ  固定体
４  ビット
４ａ  コアビット
５  駆動装置
５ａ  電気ドリル
５ｂ  伝達装置
６  送り装置
７  集塵装置
【図１】
2018012255.tif 000003
【図２】
2018012255.tif 000004
【図３】
2018012255.tif 000005